(57)【要約】【課題】被写体が動いても的確なスミア補正ができるようにする。【解決手段】固体撮像素子２から出力された画像信号を少なくとも１フィールド期間分記憶する記憶する画像信号記憶手段１０と、該画像信号記憶手段１０に記憶された画像信号のうちの各受光素子垂直列に属する受光素子からの画像信号をその垂直列分積分し、その積分値に予め設定したスミア係数を乗算してスミア補正値を算出するスミア成分算出手段１２、１４、１６、１８と、固体撮像素子２からの画像信号から該スミア成分算出手段１２、１４、１６、１８で算出されたスミア補正値を減算する減算回路２２を有する。【選択図】        図１
2005039463.tif 000002
【特許請求の範囲】
【請求項１】
水平方向及び垂直方向に受光素子を配設した撮像領域内に、各受光素子垂直列に対応してその受光素子垂直列の各受光素子からの信号電荷を垂直方向に転送する垂直転送レジスタを設け、上記撮像領域の上下のいずれか一方に水平転送レジスタを設け、その信号電荷を画像信号に変換して出力する固体撮像素子を撮像手段として備えた固体撮像装置において、
上記固体撮像素子から出力された画像信号を少なくとも１フィールド期間分記憶する記憶する画像信号記憶手段と、
上記画像信号記憶手段に記憶された画像信号のうちの各受光素子垂直列に属する受光素子からの画像信号をその垂直列分積分し、その積分値に予め設定したスミア係数を乗算してスミア補正値を求めるスミア補正値算出手段と、
上記固体撮像素子の各受光素子からの画像信号から、上記スミア補正値算出手段から出力されその受光素子が属する受光素子垂直列のについてのスミア補正値を減算する減算手段と、
を有することを特徴とする固体撮像装置。
【請求項２】
上記各受光素子垂直列毎に予め設定されたスミア係数を記憶する列毎スミア係数記憶手段を有し、
各受光素子垂直列分の各受光素子からの画像信号の積分値に乗算するスミア係数を、上記列毎スミア係数記憶手段からその積分が為された受光素子垂直列に対応して切り換えて読み出すようにしてなる
ことを特徴とする請求項１記載の固体撮像装置。
【請求項３】
固体撮像素子が電子シャッター機能を有し、
電子シャッタースピード情報に基づいて上記スミア係数を補正するようにしてなる
ことを特徴とする請求項１又は２記載の固体撮像装置。
【請求項４】
受光素子からの画像信号と、予め設定した飽和基準値との比較をし、
上記画像信号が上記飽和基準値を超えたとき、画像信号の受光素子垂直列分の積分値にスミア係数を乗算して得たスミア補正値に基づくスミア補正を停止するようにしてなる
ことを特徴とする請求項１、２又は３記載の固体撮像装置。
【請求項５】
水平方向及び垂直方向に受光素子を配設した撮像領域内に、各受光素子垂直列に対応してその受光素子垂直列の各受光素子からの信号電荷を垂直方向に転送する垂直転送レジスタを設け、上記撮像領域の上下の少なくとも一方に水平転送レジスタを設け、その信号電荷を画像信号に変換して出力する固体撮像素子からの画像信号データを処理する画像信号処理装置であって、
上記固体撮像素子から出力された画像信号を少なくとも１フィールド期間分記憶する記憶する画像信号記憶手段と、
上記画像信号記憶手段に記憶された画像信号のうちの各受光素子垂直列に属する受光素子からの画像信号をその垂直列分積分し、その積分値に予め設定したスミア係数を乗算してスミア補正値を得るスミア補正値算出手段と、
上記固体撮像素子の各受光素子からの画像信号から、上記スミア補正値算出手段から出力されその受光素子が属する受光素子垂直列についてのスミア補正値を減算する減算手段と、
を少なくとも有することを特徴とする画像信号処理装置。
【請求項６】
上記各受光素子垂直列毎に予め設定されたスミア係数を記憶する列毎スミア係数記憶手段を有し、
各受光素子垂直列分の各受光素子からの画像信号の積分値に乗算するスミア係数を、上記列毎スミア係数記憶手段からその積分が為された受光素子垂直列に対応して切り換えて読み出すようにしてなる
ことを特徴とする請求項５記載の画像信号処理装置。
【請求項７】
受光素子からの画像信号と、予め設定した飽和基準値との比較をし、
上記画像信号が上記飽和基準値を超えたとき、画像信号の受光素子垂直列分の積分値にスミア係数を乗算して得たスミア補正値に基づくスミア補正を停止するようにしてなる
ことを特徴とする請求項５又は６記載の画像信号処理装置。
【発明の詳細な説明】
【０００１】
【発明の属する技術分野】
本発明は、スミアを除去できる固体撮像撮像装置と、画像信号処理装置に関する。
【０００２】
【従来の技術】
ＣＣＤ固体撮像素子は、一般に、水平方向及び垂直方向にマトリックス状に受光素子を配設し、受光素子の各受光素子垂直列と対応して、その受光素子垂直列の各受光素子からの信号電荷を垂直方向に転送する垂直転送レジスタを設けた撮像領域の上下いずれか一方の側、例えば下側に、水平転送レジスタを設け、上記各受光素子垂直列の各受光素子の信号電荷を上記各垂直転送レジスタに読み出し、更に該垂直転送レジスタにより上記水平転送レジスタに垂直転送し、該水平転送レジスタにより水平転送して信号電荷を取り出すようにされていた（例えば特開平８−１９１４１７号公報）。
【０００３】
ところで、上述した一般のＣＣＤ固体撮像素子にはスミアが生じるという問題があった。
そこで、撮像領域の下部乃至上部にオプチカルブラック部分を設けたり、撮像領域の左乃至右側に垂直ダミー画素部分を設けたりして受光量が無い受光素子の信号電荷量を求め、その信号電荷量を以てスミア量とし、各受光素子垂直列毎にその画素列の受光素子の信号電荷量からそのスミア量減算したものを各受光素子からの信号電荷量とするということが一般的に行われている（特開２００１−８６４１３号公開公報、特開２０００−５０１６５号公報）。
このようにするのは、スミア成分が固体撮像素子の垂直オプチカルブラック部分或いは垂直ダミー画素部分に現れるからである。
【０００４】
【発明が解決しようとする課題】
ところで、上記の従来の各スミア除去技術には、被写体が静止しているときはスミアを的確に補正することができるけれども、被写体が動くと的確なスミアの補正ができず、補正が不自然になり、却って画質が低くなるという問題があった。
というのは、このスミア除去技術は、例えば受光素子垂直列（画素列）の例えば最初の一つの画素について遮光し、その画素の信号電荷量を以てその画素列全部の画素についてのスミア量としてしまうものであり、被写体が動くとスミア補正に補正誤差が生じるからである。つまり、オプチカルブラック部分以外の画素の信号電荷量はスミア量には全く参酌されないのである。
【０００５】
また、そのスミア除去技術には、オプチカルブラック部分や垂直ダミー画素部分のない固体撮像素子を用いた固体撮像装置にこの技術を適用することができないという問題があった。
そして、画像信号を記録したデータに対してもその技術を適用することができないという問題があった。
【０００６】
本発明はこのような問題を解決すべく為されたもので、被写体が動いても的確なスミア補正ができる新規な固体撮像装置及び画像信号処理装置を提供することを目的とする。
【０００７】
【課題を解決するための手段】
請求項１の固体撮像装置は、固体撮像素子から出力された画像信号を少なくとも１フィールド期間分記憶する記憶する画像信号記憶手段と、該画像信号記憶手段に記憶された画像信号のうちの各受光素子垂直列に属する受光素子からの画像信号をその垂直列分積分し、その積分値に予め設定したスミア係数を乗算してスミア補正値を求めるスミア補正値算出手段と、上記固体撮像素子の各受光素子からの画像信号から、上記スミア補正値算出手段から出力されその受光素子が属する受光素子垂直列のについてのスミア補正値を減算する減算手段と、を有することを特徴とする。
【０００８】
従って、請求項１の固体撮像装置によれば、各受光素子垂直列毎にその受光素子からの画像信号をその垂直列分積分し、その積分値にスミア係数を乗算することによりスミア補正値を算出してそれをスミア補正に用いるので、被写体が動く場合にも的確なスミア補正ができる。
即ち、従来においては、各画素毎にスミア補正量が算出され、一つのオプチカルブラックとなった画素からの画像信号を以て一律にスミア補正量を決定してその受光素子垂直列の他の画素からの画像信号からそのスミア補正量を減算するようにしていたが、そのような従来の技術に比較して本発明によれば、動画に対する位置ずれによる補正誤差を顕著に低減できる。
【０００９】
請求項５の画像信号処理装置は、固体撮像素子から出力された画像信号を少なくとも１フィールド期間分記憶する記憶する画像信号記憶手段と、上記画像信号記憶手段に記憶された画像信号のうちの各受光素子垂直列に属する受光素子からの画像信号をその垂直列分積分し、その積分値に予め設定したスミア係数を乗算してスミア補正値を得るスミア補正値算出手段と、上記固体撮像素子の各受光素子からの画像信号から、上記スミア補正値算出手段から出力されその受光素子が属する受光素子垂直列のについてのスミア補正値を減算する減算手段と、を少なくとも有することを特徴とする。
【００１０】
従って、請求項５の画像信号処理装置によれば、請求項１の固体撮像装置と同じスミア補正原理を採るので、その固体撮像装置と同様に動画に対しても位置ずれによる補正誤差のないスミア補正ができる。
【００１１】
【発明の実施の形態】
本発明は、基本的に、固体撮像素子の各受光素子垂直列毎にその受光素子からの画像信号をその垂直列分積分し、その積分値にスミア係数を乗算することによりスミア補正値を求め、そのスミア補正値を画像信号から減算するものであるが、固体撮像素子を備えた固体撮像装置に適用することができるのみならず、固体撮像素子からの信号を適宜処理して画像信号を得たものを、一旦、適宜な記録媒体等に記録した画像信号データの処理にも適用することができる。即ち、画像信号データを処理して再生、分析等に供する画像処理装置に本発明を適用してスミア補正が可能になるようにすることができるのである。
【００１２】
そして、上記各受光素子垂直列毎に予め設定されたスミア係数を記憶する列毎スミア係数記憶手段を設け、各受光素子垂直列分の各受光素子からの画像信号の積分値に乗算するスミア係数を、上記列毎スミア係数記憶手段からその積分が為された受光素子垂直列に対応して切り換えて読み出すようにしても良い。
というのは、スミア成分と信号成分との比が受光素子垂直列全体に渡って一定とは限らず、受光素子垂直列毎に異なる場合が多いからである。そのため、そのような場合には、受光素子垂直列毎にスミア成分と信号成分との比を予め検出する等し、それに応じた適切なスミア係数を各受光素子垂直列毎に設定し、列毎スミア係数記憶手段に記憶しておき、受光素子垂直列毎にスミア補正量の演算に用いるスミア係数を切り換えるようにするのである。
【００１３】
また、固体撮像素子が電子シャッター機能［受光素子に蓄積した電荷を強制的に例えば基板等に廃棄して電荷蓄積時間（或いはシャッタースピード）を切り換える機能］を有する場合においては電子シャッタースピード情報に基づいて上記スミア係数を補正するようにしても良い。
というのは、シャッタースピードが変わると信号電荷とスミアとの比率が変化するので、そのシャッタースピードに応じてスミア補正量の演算に用いるスミア係数を切り換えることによりシャッタースピードの如何に関わらず常に的確なスミア補正をすることができるからである。
【００１４】
また、受光素子からの画像信号と、予め設定した飽和基準値との比較をし、該画像信号が上記飽和基準値を超えたとき、画像信号の受光素子垂直列分の積分値にスミア係数を乗算するスミア補正を停止するようにしても良い。
というのは、本発明が最も有効なのはスミアと画像信号が比例する関係が成立する場合であり、画像信号が飽和に近づく程スミア補正の誤差が大きくなる傾向があるからである。
そこで、このように予め有効なスミア補正ができないような画像信号量の最小限を基準値として設定しておき、その基準値を画像信号量が超えたときスミア補正を停止することとして画質を低めるスミア補正を回避するようにするのである。
【００１５】
本発明は、固体撮像素子にはオプチカルブラック部分或いは垂直ダミー画素部分を設ける必要がない。また、本発明は、固体撮像素子が白黒のものにも、カラーのものにも適用することができることは言うまでもない。
【００１６】
【実施例】
以下、本発明を図示実施例に従って詳細に説明する。
図１〜図３は本発明固体撮像装置の第１の実施例を説明するためのもので、図１は回路構成の概略を示す回路ブロック図、図２はＣＣＤ固体撮像素子の動作説明のための平面図、図３はスミア蓄積時間の説明図である。
２は撮像手段たるＣＣＤ固体撮像素子である。即ち、水平方向及び垂直方向に受光素子（画素）３１を配設した撮像領域内に、各受光素子垂直列Ｃに対応してその受光素子垂直列の各受光素子３１からの信号電荷を垂直方向に転送する垂直転送レジスタ３２を設け、上記撮像領域の上下の少なくとも一方に水平転送レジスタ３３を設け、その信号電荷を画像信号に変換して出力するようにしたタイプの普通のＣＣＤ固体撮像素子である。尚、ＣＣＤ固体撮像素子にはオプチカルブラック部分或いは垂直ダミー画素部を有するものが多いが、本発明固体撮像装置に用いるＣＣＤ固体撮像素子には、オプチカルブラック部分或いは垂直ダミー画素部は必要ではない。しかし、オプチカルブラック部分或いは垂直ダミー画素部を有していても良い。
【００１７】
４はＣＣＤ固体撮像素子２から出力された画像信号を相関二重サンプリングする相関ダブルサンプリング回路、６は該回路４の出力を増幅する増幅回路、８は該増幅回路６の出力信号（アナログ信号）をディジタル信号に変換するＡ／Ｄ変換器、１０はフレームメモリで、Ａ／Ｄ変換器８からの出力されたディジタル信号を記憶する。該フレームメモリ１０は１ライン（１水平行分）の画像信号を書き込む毎に信号がリフレッシュされる。即ち、最も古い１ラインの画像信号を廃棄する。要するに、１ライン書き込む毎に最も古い１ラインを廃棄し、常に１フィールド分の画像信号を記憶している。
【００１８】
１２は画素列加算器で、フレームメモリ１０から各受光素子垂直列毎にその一つの受光素子垂直列の受光素子からの画像信号を積分するという加算処理をする。
１４は係数掛算器で、上記画素列加算器１２から出力された各受光素子垂直列の受光素子の積分値と、次に述べるスミア係数出力器（１６）から出力されたスミア係数とを乗算する。
１６はスミア係数出力器で、固体撮像素子２を駆動する各種パルスを発生するタイミング発生器１８からのシャッタースピードを示す信号を出力する。
【００１９】
２０は係数メモリで、各受光素子垂直列毎にその受光素子垂直列用のスミア係数を記憶する。そして、該係数メモリ２０は上記画素垂直列加算器１２が積算する垂直列用スミアを出力する。尚、全受光素子垂直列に渡ってスミア係数が一定な場合、常に同じスミア係数をスミア補正に用いるようにしても良い。
該係数メモリ２０から出力されたスミア係数は、スミア係数出力器１６にて上記タイミング発生器１８からのシャッタースピードを示す信号と演算処理されて変更され、係数掛算器１４に送られる。
【００２０】
２０は減算回路で、上記Ａ／Ｄ変換器８から出力された画像信号（画像信号値：ディジタル値）から上記係数掛け算器１４の出力であるスミア補正値を減算する。そして、その減算結果が固体撮像装置の出力として外部に送出される。
【００２１】
本固体撮像装置においては、  Ａ／Ｄ変換器８から或る受光素子からの画像信号を減算回路２２に出力して被減算値として減算に供するする動作と、上記フレームメモリ１０、画素列加算器１２、係数掛算器１４、スミア係数出力器１６及び係数メモリ２０によりスミア補正値を出力して減算値として減算回路２２に供する動作とは、同期している。
どのように同期しているかといえば、常に、Ａ／Ｄ変換器８から出力された画像信号をもたらした受光素子が属する受光素子垂直列と対応するスミア補正値が減算回路２２に出力されるようになっているのである。
【００２２】
図２を参照して動作説明をする。受光素子３１、３１、・・・が水平方向及び垂直方向にマトリックス状に配設され、撮像領域が構成されており、該受光素子３１、３１、・・・の各受光素子垂直列Ｃｘ毎に垂直転送レジスタ３２、３２、・・・が配設されており、該垂直転送レジスタ３２、３２、・・・によって各受光素子３１、３１、・・・からの信号電荷を水平転送レジスタ３３へ向けて垂直転送する。図中において、Ｐｘ，ｙは或る座標（ｘ，ｙ）の受光素子（画素）を示す。
尚、便宜上、垂直転送レジスタ３２により一つの信号電荷を１ビット毎に並んだ電荷転送用コンテナ（仮想コンテナ）３４により搬送するという、コンテナという概念を用いて垂直転送動作の説明をする。
【００２３】
ここで、固体撮像素子２の任意の画素Ｐｘ，ｙを搬送するコンテナ３４についてのスミアに着目する。
固体撮像素子２の読み出しパルス（ＳＧ：各受光素子３１、３１、・・・から一斉に各垂直転送レジスタ３２、３２、・・・に読み出すパルス）が印加された時点でその画素Ｐｘ，ｙの隣にあるコンテナ３４にはその後水平転送レジスタ３３に達するまでにその位置移動する過程で加わったスミア成分の総和が入り込む。
【００２４】
一方、スミア量は各受光素子に入射した光の量（受光量）に比例するので、一つの仮想コンテナ３４が垂直転送レジスタ３２内をその上端から下端まで移動する過程でどれだけの電荷量に達したかでスミアの量を算出することができる。
本発明は、実質的にコンテナが受光素子垂直列の一端部の受光素子と対応する部分から他端部の受光素子と対応する部分に移動するまでの間に蓄えた電荷量を求め、上記比例の比例定数にあたるスミア係数を掛算してスミアを算出し、それをスミア補正に用いることとするのである。
【００２５】
次いで、上記スミアの蓄積（累積）について図３を参照して説明するが、この説明は図２の受光素子垂直列（画素列）Ｃｘ（Ｐｘ，１、Ｐｘ，２、・・・・Ｐｘ，ｙ、・・・Ｐｘ，ｖのある受光素子垂直列。尚、ｖ：垂直受光素子数）に着目して行う。
図３は横軸に時間（ｔ）を、縦軸に垂直方向における画素位置（ｙ）を取り、ＳＧ０、ＳＧ１、ＳＧ２は固体撮像素子２の読み出しタイミングを示し、Ｔｖは読み出し周期である。
【００２６】
タイミングＳＧ１を着目するフィールドの読み出しパルスの発生タイミングとすると、受光素子垂直列（画素列）Ｃｘの最初の画素Ｐｘ，１（最も水平転送レジスタ側の画素。尚、オプチカルブラック部分やダミー画素はないものとする）からの信号電荷はそのタイミングＳＧ１発生直後のライン（水平ライン）を成す。
そして、その信号電荷には、タイミングＳＧ０からＳＧ１までの１読み出し周期Ｔｖ期間に生じたスミア成分が加わる。
【００２７】
次に、上記受光素子垂直列（画素列）Ｃｘの最も水平転送レジスタから遠い画素Ｐｘ，ｖからの信号電荷はタイミングＳＧ２の直前のラインを成し、その信号電荷には略タイミングＳＧ１からＳＧ２までの期間Ｔｖの期間に生じたスミアが加わる。
更に、中間の画素Ｐｘ，ｙのについては、スミアがその画素の受光素子からの信号電荷に加わる期間がタイミングＳＧ１に跨るが、そのタイミングＳＧ１よりも前の期間がｔｖ−ｙ、後の期間がｔｙであり、それを加算するとＴｖになり、これがスミアが加わる期間となる。
【００２８】
即ち、どの垂直列に属し、どの垂直方向位置であろうと、画素Ｐｘ，ｙからの信号電荷にスミアが加わる期間は信号電荷の出力時点から遡る１読み出し周期Ｔｖとなる。
従って、過去１フィールド期間に渡って受光素子垂直列の受光素子の信号を累積（積分）すれば各画素のスミア成分に比例した出力を得ることができる。従って、その積分値に、その比例における比例定数をスミア係数として掛算（乗算）すれば、スミア成分が得られる訳であり、そこで、そのようにしてスミア成分を算出し、算出したらそのスミア成分を各画素の受光素子からの画像信号から減算してスミア補正をするというのが本発明の基本原理なのである。
【００２９】
即ち、図１に示す固体撮像装置は、Ａ／Ｄ変換器８で画像信号をディジタル信号に変換すると、そのＡ／Ｄ変換された画像信号を出力側に（減算回路２２に）送るのみならず、フレームメモリ１０へも送り記憶させる。
該フレームメモリ１０は、新たに１水平ライン分の画像信号が書き込まれる毎に最も古い１水平ライン分の画像信号を捨てて常に１フィールド期間分の画像信号を記憶する働きをし、画素列加算器１２は、その新たに書き込まれた水平ラインの受光素子が属する受光素子垂直列の画像信号の積分をするという動作を、その水平ラインの各受光素子について順次一つずつ行う。
【００３０】
そして、係数メモリ２０からは、その画素列加算器１２が積分を行っている受光素子垂直列についてのスミア係数を読み出し、更に、スミア係数をタイミング発生器１８からのシャッタースピードを示す信号により補正し、その補正したスミア係数と、上記画素列加算器１２から出力された上記積分値とを係数掛算器１４において掛算（乗算）してスミア補正値を得る。
そして、この係数掛算器１４から出力されたスミア補正値を減算回路２２に減算値として供給する。該減算回路２２は、Ａ／Ｄ変換器８からの画像信号を被減算値として受けるので、その画像信号からスミア補正値を減算したスミア補正画像信号を出力することができる。
【００３１】
図４は本発明固体撮像装置の第２の実施例を示す回路ブロック図である。本実施例の固体撮像装置は、固体撮像素子を有する固体撮像装置により撮像された画像信号をディジタル信号の形態で適宜な記録手段等に書き込んだ画像データに対して本発明によるスミア補正をして他の機器、装置に供するようにしたものである。
２４は上記記録手段等に書き込まれた画像信号（ディジタル信号）を出力する画像データ出力装置で、この出力画像信号はフレームメモリ１０と、減算回路２２へ送られる。
【００３２】
フレームメモリ１０、画素列加算器１２、係数掛算器１４及び係数メモリ２０は、図１に示すフレームメモリ１０、画素列加算器１２、係数掛算器１４及び係数メモリ２０と同じ働きをし、補正原理も図１に示す固体撮像装置と同じである。
尚、本実施例においては、タイミング発生器１８からのシャッタースピード情報に基づいて係数メモリ２０からのスミア係数を変更するということは行わない。従って、スミア係数出力器１６はない。
【００３３】
【発明の効果】
請求項１の固体撮像装置によれば、各受光素子垂直列毎にその受光素子からの画像信号をその垂直列分積分し、その積分値にスミア係数を乗算することによりスミア補正値を算出してそれをスミア補正に用いるので、被写体が動く場合にも的確なスミア補正ができる。
請求項２の固体撮像装置によれば、各受光素子垂直列毎に予め設定されたスミア係数をスミア補正の演算に用いるので、各受光素子垂直列毎にそれに対応したより適切なスミア補正ができる。
【００３４】
請求項３の固体撮像装置によれば、電子シャッタースピード情報に基づいて上記スミア係数を補正するので、シャッタースピードに応じて画像信号とスミア成分が変化することに対応したスミア補正ができ、シャッタースピードによりスミア補正誤差が生じることを防止することが可能となる。
請求項４の固体撮像装置によれば、画像信号が飽和基準値を超えたとき、画像信号の受光素子垂直列分の積分値にスミア係数を乗算することによりスミア補正値を算出しスミア補正をするという動作を停止するので、画像信号がスミア補正に適しない大きさ（飽和乃至飽和に近い大きさ）になったときスミア補正を回避し、画質低下を回避することができる。
【００３５】
請求項５の画像信号処理装置によれば、固体撮像素子を有する固体撮像装置により撮像された画像信号をディジタル信号の形態で適宜な記録手段等に書き込んだ画像データに対して請求項１の固体撮像装置と同様のスミア補正をすることができる。
請求項６の画像信号処理装置によれば、各受光素子垂直列毎に予め設定されたスミア係数をスミア補正の演算に用いるので、各受光素子垂直列毎にそれに対応したより適切なスミア補正ができる。
【００３６】
請求項７の固体撮像装置によれば、画像信号が飽和基準値を超えたとき、画像信号の受光素子垂直列分の積分値にスミア係数を乗算することによりスミア補正値を算出しスミア補正をするという動作を停止するので、画像信号がスミア補正に適しない大きさ（飽和乃至飽和に近い大きさ）になったときスミア補正を回避し、画質低下を回避することができる。
【図面の簡単な説明】
【図１】本発明の第１の実施例の回路構成を示す回路ブロック図である。
【図２】上記第１の実施例の動作説明のためのＣＣＤ固体撮像素子の平面図である。
【図３】上実施例のスミア補正原理の理解のためのスミア蓄積時間の説明図である。
【図４】本発明の第２の実施例の回路構成を示す回路ブロック図である。
【符号の説明】
２・・・固体撮像素子、８・・・Ａ／Ｄ変換器、１０・・・画像信号記憶手段、１２・・・画素列加算器、１４・・・係数掛算器、１８・・・タイミング発生器、２０・・・列毎スミア係数記憶手段（係数メモリ）、２２・・・減算回路、２４・・画像データ出力装置、３１・・・画素（受光素子）、３２・・・垂直転送レジスタ、３３・・・水平転送レジスタ、Ｃｘ・・・受光素子垂直列（画素列）。Ｐｘ，ｙ・・・任意の場所の画素。
【図１】
2005039463.tif 000003
【図２】
2005039463.tif 000004
【図３】
2005039463.tif 000005
【図４】
2005039463.tif 000006